(57)【特許請求の範囲】
【請求項１】
色信号処理が可能な磁気記録再生装置であって、入力される色差信号を周波数変調されたＳＥＣＡＭ色信号に変調するＳＥＣＡＭ変調手段と、記録時に前記ＳＥＣＡＭ変調手段に接続し再生時に後述する４逓倍器に接続する第１の切替手段と、前記第１の切替手段からの色信号の雑音成分を除去する第１のバンドパスフィルタと、前記第１のバンドパスフィルタからの色信号の振幅を一定の振幅にするリミッタ手段と、前記第１のバンドパスフィルタの出力を記録時に記録リミッタ手段に接続する第２の切替手段と、前記リミッタ手段で振幅を一定にされた周波数変調されたＳＥＣＡＭ方式色信号を１／４の周波数に分周する１／４分周手段と、前記１／４分周手段の出力信号から不要信号成分を除去する第２のバンドパスフィルタと、前記第２のバンドパスフィルタからの周波数変調されたＳＥＣＡＭ方式色信号をＳＥＣＡＭ方式ＶＨＳビデオ規格に基づく振幅特性に変換する記録ベルフィルタと、前記記録ベルフィルタの出力信号の水平消去期間にブランキングを挿入するブランキング挿入手段と、入力された再生色信号の不要信号成分を除去する第３のバンドパスフィルタと、前記第３のバンドパスフィルタからの色信号をＳＥＣＡＭ方式ＶＨＳビデオ規格に基づく振幅特性で変換する逆ベルフィルタと、前記逆ベルフィルタで振幅特性変換を行った１／４分周の周波数の周波数変調されたＳＥＣＡＭ方式色信号の振幅を一定にする再生リミッタ手段と、前記再生リミッタ手段で一定の振幅にされた１／４分周ＦＭのＳＥＣＡＭ方式色信号を４倍の周波数に逓倍する４逓倍手段と、前記第１のバンドパスフィルタからの色信号をＳＥＣＡＭ放送方式に基づく色信号振幅に変換するベルフィルタと、前記ベルフィルタで振幅変換された周波数変調されたＳＥＣＡＭ方式色信号を水平消去期間にブランキング信号を挿入するブランキング挿入手段とを備えたことを特徴とする磁気記録再生装置。
【発明の詳細な説明】
【０００１】
【発明の属する技術分野】
本発明は、カメラ一体型磁気記録再生装置に関するものである。
【０００２】
【従来の技術】
近年、磁気記録再生装置はカメラ一体型のものが多数発売されている。
【０００３】
以下に図面を参照しながら従来の磁気記録再生装置について説明する。
従来の磁気記録再生装置の構成を図５に示す。図５は従来の磁気記録再生装置の色信号処理系のブロック図を示すものである。図５において、３１は入力端子である。３２はＳＥＣＡＭ変調器で、入力端子３１に入力された色差信号をＦＭのＳＥＣＡＭ色信号に変調する。３３は第１のバンドパスフィルタ、３４はベルフィルタ、３５はブランキング挿入回路、３６は逆ベルフィルタ、３７は記録リミッタ回路、３８は１／４分周器、３９は第２のバンドパスフィルタ、４０は記録ベルフィルタ、４１は記録ブランキング挿入回路、４２は記録色信号出力端子で、記録色信号はここより磁気テープに記録するための記録回路に送られた後、磁気テープに記録される。４３は再生色信号入力端子で磁気テープに記録された色信号が再生増幅器を通じて増幅された後入力される。４４は第３のバンドパスフィルタ、４５は再生逆ベルフィルタ、４６は再生リミッタ回路、４７は４逓倍器、４８は第４のバンドパスフィルタ、４９は再生ベルフィルタ、５０は再生ブランキング挿入回路、５１は切替器、５２は出力緩衝増幅器、５３は色信号出力端子である。
【０００４】
以上のように構成された従来の磁気記録再生装置について、以下その動作について説明する。
【０００５】
まず、入力端子３１にＲ−Ｙ及びＢ−Ｙの色差信号が入力されＳＥＣＡＭ変調器３２に送られる。ＳＥＣＡＭ変調器３２では、入力端子３１から入力された色信号を周波数変調（以下、ＦＭと記す）したＳＥＣＡＭ色信号に変調し、第１のバンドパスフィルタ３３で雑音成分を取り除いた後、ベルフィルタ３４に送られる。ＳＥＣＡＭ変調器３２で変調されたＦＭのＳＥＣＡＭ色信号の振幅は一定であり、かつ水平消去期間にも色信号が連続している。
【０００６】
第１のバンドパスフィルタ３３からの色信号はベルフィルタ３４でＳＥＣＡＭ方式放送規格で定められた特性に基づいて振幅変換された後、ブランキング挿入回路３５に送られ、水平消去期間にブランキングが挿入される。ブランキング挿入回路３５からの信号は、ＳＥＣＡＭの放送規格に合致しており、切替器５１と記録処理のために逆ベルフィルタ３６に送られる。逆ベルフィルタ３６に送られたＳＥＣＡＭ色信号は、ベルフィルタ３４と逆の振幅特性で再度振幅が一定にされた後、記録リミッタ回路３７に送られる。
【０００７】
記録リミッタ回路３７は逆ベルフィルタ３６で振幅が一定になったＦＭのＳＥＣＡＭ色信号の振幅を一定振幅にし、回路系での雑音成分を除去した後、１／４分周器３８に送られる。１／４分周器３８は記録リミッタ回路３７からの信号の周波数を１／４に分周する。前記１／４分周器３８からの信号は第２のバンドパスフィルタ３９で不要信号成分を除去した後、記録ベルフィルタ４０で振幅変換され、記録ブランキング挿入回路４１で水平消去期間にブランキングを挿入した後、記録出力端子４２に送られ、記録回路（図示せず）に入力される。
【０００８】
一方、再生回路（図示せず）からの１／４の周波数に変換されているＳＥＣＡＭ色信号は、再生色信号入力端子４３から第３のバンドパスフィルタ４４で不要信号成分を取り除かれた後、再生逆ベルフィルタ４５で振幅を一定に変換される。再生逆ベルフィルタ４５で振幅一定にされたＦＭのＳＥＣＡＭ色信号は、再生リミッタ回路４６に送られ、振幅を制限し雑音成分を除去する。再生リミッタ回路４６で雑音成分を除去されたＳＥＣＡＭ色信号は、４逓倍器４７に送られ周波数を４倍に変換される。なお、１／４分周器３８と、記録ベルフィルタ４０と、再生逆ベルフィルタ４５と、４逓倍器４７での処理及び特性はＳＥＣＡＭ方式ＶＨＳビデオ規格で定められている。
【０００９】
４逓倍器４７からのＳＥＣＡＭ色信号は第４のバンドパスフィルタ４８で不要信号成分を取り除いた後、再生ベルフィルタ４９でＳＥＣＡＭ方式放送規格で定められた振幅特性に変換され、再生ブランキング挿入回路５０に送られる。再生ブランキング挿入回路５０からのＳＥＣＡＭ色信号は切替器５１に送られる。切替器５１は記録時にはブランキング挿入回路３５側に接続され、再生時には再生ブランキング挿入回路５０側に接続され、信号を出力緩衝増幅器５２に送る。出力緩衝増幅器５２からの記録再生時のＳＥＣＡＭ色信号は出力端子５３より外部へ出力される。
【００１０】
ここで、ＳＥＣＡＭ色信号の処理の過程を図４を用いて説明する。
図６〜図９は図５各部における波形図である。まず、図６（ａ）は図５における入力端子３１から入力された色差信号の波形である。図６（ｂ）は図５におけるＳＥＣＡＭ変調器３２で変調され、第１のバンドパスフィルタ３３で不要信号成分を除去した後のＦＭのＳＥＣＡＭ色信号の波形図である。ここでの信号は図６（ｂ）の示す通り振幅は一定で且つ連続したＳＥＣＡＭ色信号である。図６（ｃ）は図５におけるベルフィルタ３４で振幅特性をＳＥＣＡＭ放送規格に基づいて変換されたＳＥＣＡＭ色信号である。
【００１１】
図７（ａ）は図５におけるブランキング挿入回路３５で処理された波形図である。図７（ｂ）は逆ベルフィルタ３６で振幅特性を変換した波形図。図７（ｃ）は図５における記録リミッタ回路３７で振幅を一定に制限した波形図。図８（ａ）は図５において１／４分周器３８で周波数を１／４に分周され、第２のバンドパスフィルタ３９で不要信号成分を除去された後、記録ベルフィルタ４０で振幅変換された色信号の波形図、そして図８（ｂ）は図５における記録ブランキング挿入回路４１でブランキングを挿入された色信号の波形図である。ここで図６（ｂ）と図７（ｂ）は振幅が同じでブランキングが挿入されている点のみが異なっている。もしここで、図５におけるベルフィルタ３４と逆ベルフィルタ３６の特性がずれた場合、図９（ａ）の様に振幅が一定に戻らないという問題が発生し、色ずれが発生したり、色信号以外の不要信号成分が強調されて最悪の場合、再生時にテレビジョンセットでＳＥＣＡＭ信号の誤判別が発生し、色が付かない問題が発生する。
【００１２】
一方、ブランキングについては、図７（ｃ）で示すように図５におけるブランキング挿入回路３５で挿入されたブランキング部分は図３における記録リミッタ回路３７で振幅を一定にされると回路系の雑音成分の振幅が増幅される。ここでもし図５における記録ブランキング挿入回路４１で挿入するブランキングのタイミングがずれた場合、図９（ｂ）のように記録色信号のブランキング後の立ち上がり部分に雑音成分が混入することになる。この結果、テレビジョンセットの色信号判定が前記雑音成分に行われると、再生時に色が付かないという問題が発生する。
【００１３】
【発明が解決しようとする課題】
以上のように従来の磁気記録再生装置では、それぞれの部品の周囲温度変化による特性変動や構成部品のばらつきによって色ずれや、再生時での色信号が付かない問題が発生する可能性があることと、記録と再生でそれぞれ同時には使用しない同一の特性と動作をする第１のバンドパスフィルタ３３と第４のバンドパスフィルタ４８、ベルフィルタ３４と再生ベルフィルタ４９、そしてブランキング挿入回路３５と再生ブランキング挿入回路５０を重複して備えることで、回路構成が複雑かつ調整箇所の多さそしてコストが高くなってしまうという問題点を有していた。
【００１４】
本発明は上記従来の問題点を解決するもので、構成部品の特性変化やばらつきの影響によるテレビジョンセットでの色信号誤判別や色ずれという問題発生を防ぎ、構成部品点数の大幅な削減で低コストの磁気記録再生装置を提供するものである。
【００１５】
【課題を解決するための手段】
この目的を達成するために本発明の磁気記録再生装置は、色信号処理が可能な磁気記録再生装置であって、入力される色差信号を周波数変調されたＳＥＣＡＭ色信号に変調するＳＥＣＡＭ変調手段と、記録時に前記ＳＥＣＡＭ変調手段に接続し再生時に後述する４逓倍器に接続する第１の切替手段と、前記第１の切替手段からの色信号の雑音成分を除去する第１のバンドパスフィルタと、前記第１のバンドパスフィルタからの色信号の振幅を一定の振幅にするリミッタ手段と、前記第１のバンドパスフィルタの出力を記録時に記録リミッタ手段に接続する第２の切替手段と、前記リミッタ手段で振幅を一定にされた周波数変調されたＳＥＣＡＭ方式色信号を１／４の周波数に分周する１／４分周手段と、前記１／４分周手段の出力信号から不要信号成分を除去する第２のバンドパスフィルタと、前記第２のバンドパスフィルタからの周波数変調されたＳＥＣＡＭ方式色信号をＳＥＣＡＭ方式ＶＨＳビデオ規格に基づく振幅特性に変換する記録ベルフィルタと、前記記録ベルフィルタの出力信号の水平消去期間にブランキングを挿入するブランキング挿入手段と、入力された再生色信号の不要信号成分を除去する第３のバンドパスフィルタと、前記第３のバンドパスフィルタからの色信号をＳＥＣＡＭ方式ＶＨＳビデオ規格に基づく振幅特性で変換する逆ベルフィルタと、前記逆ベルフィルタで振幅特性変換を行った１／４分周の周波数の周波数変調されたＳＥＣＡＭ方式色信号の振幅を一定にする再生リミッタ手段と、前記再生リミッタ手段で一定の振幅にされた１／４分周ＦＭのＳＥＣＡＭ方式色信号を４倍の周波数に逓倍する４逓倍手段と、前記第１のバンドパスフィルタからの色信号をＳＥＣＡＭ放送方式に基づく色信号振幅に変換するベルフィルタと、前記ベルフィルタで振幅変換された周波数変調されたＳＥＣＡＭ方式色信号を水平消去期間にブランキング信号を挿入するブランキング挿入手段とを備えたものである。
【００１６】
この構成によって、構成部品の特性変化やばらつきの影響が少なく安定で、構成部品点数の大幅な削減で低コストの磁気記録再生装置を提供することが得られる。
【００１７】
【発明の実施の形態】
本発明の請求項１に記載の発明は、色信号処理が可能な磁気記録再生装置であって、入力される色差信号を周波数変調されたＳＥＣＡＭ色信号に変調するＳＥＣＡＭ変調手段と、記録時に前記ＳＥＣＡＭ変調手段に接続し再生時に後述する４逓倍器に接続する第１の切替手段と、前記第１の切替手段からの色信号の雑音成分を除去する第１のバンドパスフィルタと、前記第１のバンドパスフィルタからの色信号の振幅を一定の振幅にするリミッタ手段と、前記第１のバンドパスフィルタの出力を記録時に記録リミッタ手段に接続する第２の切替手段と、前記リミッタ手段で振幅を一定にされた周波数変調されたＳＥＣＡＭ方式色信号を１／４の周波数に分周する１／４分周手段と、前記１／４分周手段の出力信号から不要信号成分を除去する第２のバンドパスフィルタと、前記第２のバンドパスフィルタからの周波数変調されたＳＥＣＡＭ方式色信号をＳＥＣＡＭ方式ＶＨＳビデオ規格に基づく振幅特性に変換する記録ベルフィルタと、前記記録ベルフィルタの出力信号の水平消去期間にブランキングを挿入するブランキング挿入手段と、入力された再生色信号の不要信号成分を除去する第３のバンドパスフィルタと、前記第３のバンドパスフィルタからの色信号をＳＥＣＡＭ方式ＶＨＳビデオ規格に基づく振幅特性で変換する逆ベルフィルタと、前記逆ベルフィルタで振幅特性変換を行った１／４分周の周波数の周波数変調されたＳＥＣＡＭ方式色信号の振幅を一定にする再生リミッタ手段と、前記再生リミッタ手段で一定の振幅にされた１／４分周ＦＭのＳＥＣＡＭ方式色信号を４倍の周波数に逓倍する４逓倍手段と、前記第１のバンドパスフィルタからの色信号をＳＥＣＡＭ放送方式に基づく色信号振幅に変換するベルフィルタと、前記ベルフィルタで振幅変換された周波数変調されたＳＥＣＡＭ方式色信号を水平消去期間にブランキング信号を挿入するブランキング挿入手段とを備えたものであり、このような構成により構成部品の特性変化やばらつきの影響が少なく安定で、構成部品の大幅な削減で低コストの磁気記録再生装置を実現する。
【００１８】
以下、本発明の実施の形態について、図面を用いて説明する。
（実施の形態１）
図１は本実施の形態の磁気記録再生装置のブロック図であり、図１において、１１は色差信号を入力する入力端子、１２は色差信号をＦＭのＳＥＣＡＭ色信号に変調するＳＥＣＡＭ変調手段であるＳＥＣＡＭ変調器、１３は記録時にＳＥＣＡＭ変調器１２に接続し再生時に４逓倍器２６に接続する第１の切替手段である第１の切替器、１４は第１の切替器１３からの色信号の不要な信号成分を除去する第１のバンドパスフィルタ、１５は第１のバンドパスフィルタ１４の出力を記録時に記録リミッタ回路１６に接続し再生時に解放する第２の切替手段である第２の切替器、１６は記録時に第２の切替器１５からの色信号の振幅を一定の振幅にするリミッタ手段であるリミッタ回路、１７はリミッタ回路１６で振幅を一定にされたＦＭのＳＥＣＡＭ方式色信号を１／４の周波数に分周する１／４分周手段である１／４分周器、１８は１／４分周器１７からの色信号の不要信号成分を除去する第２のバンドパスフィルタ、１９は第２のバンドパスフィルタ１８からの色信号をＶＨＳ方式磁気記録装置フォーマットに基づく振幅特性に変換する記録ベルフィルタ、２０は記録ベルフィルタ１９からの色信号に水平消去期間にブランキング信号を挿入する記録ブランキング挿入手段である記録ブランキング挿入回路、２１は記録ブランキング挿入回路２０からの色信号を記録回路（図示せず）に出力する色信号出力端子である。
【００１９】
２２は再生時に再生色信号を入力する再生色信号入力端子、２３は再生色信号入力端子２２から入力された色信号から不要な信号成分を除去する第３のバンドパスフィルタ、２４は第３のバンドパスフィルタ２３からの信号をＶＨＳ方式磁気再生装置フォーマットに基づく振幅特性変換を行う再生逆ベルフィルタ、２５は再生逆ベルフィルタ２４で振幅特性変換を行った１／４分周された周波数変調ＳＥＣＡＭ方式色信号の振幅を一定にする再生リミッタ手段である再生リミッタ回路、２６は再生リミッタ回路２５で一定の振幅にされた１／４分周ＦＭのＳＥＣＡＭ方式色信号を４倍の周波数に逓倍する逓倍手段である４逓倍器、２７は第１バンドパスフィルタ１４からの色信号をＳＥＣＡＭ放送方式に基づく色信号振幅に変換するベルフィルタ、２８はベルフィルタ２７で振幅変換された周波数変調ＳＥＣＡＭ方式色信号を水平消去期間にブランキングを挿入するブランキング挿入手段であるブランキング挿入回路、２９はブランキング挿入回路２８からの信号を出力する出力緩衝増幅器、３０は出力緩衝増幅器２９からの信号を出力する出力端子である。
【００２０】
以上のように構成された本実施の形態の磁気記録再生装置について、以下その動作を説明する。
【００２１】
図２〜図４は図１各部における信号波形図である。まず、図２（ａ）は記録時に図１における入力端子１１に入力された色差信号の波形である。図２（ｂ）は記録時に図１におけるＳＥＣＡＭ変調器１２で変調され、第１の切替器１３を通り、第１のバンドパスフィルタ１４で不要信号成分を除去した後のＦＭのＳＥＣＡＭ色信号の波形図であり、信号波形は従来技術の図６（ｂ）と全く同一である。図２（ｃ）は図１におけるベルフィルタ２７で振幅特性をＳＥＣＡＭ放送規格に基づいて変換されたＳＥＣＡＭ色信号である。
【００２２】
図３（ａ）は図１におけるブランキング挿入回路２８で処理された波形図である。図３（ａ）と図７（ａ）とは全く同一の信号波形である。図３（ｂ）は図１における記録リミッタ回路１６で振幅を一定にされた色信号波形。図３（ｃ）は図１における１／４分周器１７で１／４の周波数に分周された色信号を、第２のバンドパスフィルタ１８で不要信号成分を除去し、記録ベルフィルタ１９でＶＨＳ方式磁気再生装置フォーマットに基づく振幅特性変換を行った色信号の波形図。図４は図１における記録ブランキング挿入回路２０でブランキングを挿入された色信号の波形図である。図４と従来技術の図８（ｂ）での色信号は同一波形である。
【００２３】
以上のように本実施の形態によれば、図１において記録時にＳＥＣＡＭ変調器１２でＦＭのＳＥＣＡＭに変調し、第１切替器１３を経由して、第１のバンドパスフィルタ１４で不要信号成分を除去した後、その信号を第２の切替器１５を経由してそのまま記録リミッタ回路１６に入力することと、テレビジョンセットへの信号図２ｄと記録回路への信号図２ｇのブランキングをそれぞれ１カ所で挿入することにより、構成部品の特性変化やばらつきの影響によるテレビジョンセットでの色信号誤判別や色ずれという問題発生を防ぎ、構成部品点数の大幅な削減で低コストの磁気記録再生装置を提供することができる。
【００２４】
なお、以上の説明では第２のバンドパスフィルタ１８はバンドパスフィルタとしたが、第２のバンドパスフィルタ１８を第１のローパスフィルタとし、第３のバンドパスフィルタ２３を第２のローパスフィルタとしても、同様な動作及び効果が得られる。
【００２５】
【発明の効果】
以上のように本発明は、構成部品の特性変化やばらつきの影響によるテレビジョンセットでの色信号誤判別や色信号の遅延時間ずれという問題発生を防ぎ、構成部品点数の大幅な削減で低コストという優れた効果が得られる。
【図面の簡単な説明】
【図１】本発明の実施の形態１における磁気記録再生装置のブロック図
【図２】同実施の形態１における磁気記録再生装置の動作説明のための各部の波形図
【図３】同実施の形態１における磁気記録再生装置の動作説明のための各部の波形図
【図４】同実施の形態１における磁気記録再生装置の動作説明のための各部の波形図
【図５】従来の磁気記録再生装置のブロック図
【図６】従来の磁気記録再生装置の動作説明のための各部の波形図
【図７】従来の磁気記録再生装置の動作説明のための各部の波形図
【図８】従来の磁気記録再生装置の動作説明のための各部の波形図
【図９】従来の磁気記録再生装置の動作説明のための各部の波形図
【符号の説明】
１２  ＳＥＣＡＭ変調器
１３  第１の切替器
１４  第１のバンドパスフィルタ
１５  第２の切替器
１６  記録リミッタ回路
１７  １／４分周器
１８  第２のバンドパスフィルタ
１９  記録ベルフィルタ
２０  記録ブランキング挿入回路
２１  記録色信号出力端子
２２  再生色信号入力端子
２３  第３のバンドパスフィルタ
２４  再生逆ベルフィルタ
２５  再生リミッタ回路
２６  ４逓倍器
２７  ベルフィルタ
２８  ブランキング挿入回路
【図１】
0003658991.tif 000002
【図２】
0003658991.tif 000003
【図３】
0003658991.tif 000004
【図４】
0003658991.tif 000005
【図５】
0003658991.tif 000006
【図６】
0003658991.tif 000007
【図７】
0003658991.tif 000008
【図８】
0003658991.tif 000009
【図９】
0003658991.tif 000010